(57)【要約】【課題】  可動脚の組み立てと折り畳みとを簡単な操作で可能とする。【解決手段】  可動脚２０の連結軸２３が保持されるブラケット２２の挿通孔２４を長孔とすることで、可動脚２０を、下方への引き出し位置からブラケット２２側への押込み位置へスライド可能とする一方、ブラケット２２に切欠２５を、可動脚２０に、押込み位置で切欠２５に嵌合するストッパピン２６を夫々設けて、可動脚２０の押込み位置で回転を規制し、引き出し位置で回転を許容するようにした。また、可動脚２０に、押込み位置でブラケット２２に設けた凹部３４に係止して可動脚２０のスライドを規制するロックスプリング２８を設けて、ロックスプリング２８を凹部３４から離反させた際に引き出し位置への可動脚２０のスライドを可能とした。【選択図】  図４
2006044069.tif 000002
【特許請求の範囲】
【請求項１】
回転駆動する鋸刃を備えた基盤に、前記基盤下側への折り畳み位置と、前記基盤から下方へ突出する引き出し位置とに回転可能な可動脚を軸着した切断機であって、
前記可動脚を、前記引き出し位置から前記基盤側へ軸方向に沿って僅かに移動する押込み位置へスライド可能に設ける一方、前記基盤と可動脚との間に、前記押込み位置で前記可動脚の回転を規制し、前記引き出し位置で前記可動脚の回転を許容する回転ロック機構と、前記押込み位置から引き出し位置への前記可動脚のスライドの規制とその解除とを任意に切替操作可能なスライドロック機構とを設けたことを特徴とする切断機。
【請求項２】
回転ロック機構が、可動脚又は基盤の何れか一方側で前記可動脚の回転中心から偏心した位置に設けられる凸部と、他方側に設けられて前記可動脚の押込み位置で前記凸部が嵌合し、前記可動脚の回転を規制する規制部とからなる請求項１に記載の切断機。
【請求項３】
可動脚に、押込み位置で外開き姿勢となるように所定の傾斜角度を付与して、規制部を前記傾斜角度に合わせて傾斜させた請求項２に記載の切断機。
【請求項４】
スライドロック機構が、可動脚又は基盤の何れか一方側に設けられた被係止部と、他方側に設けられ、前記可動脚の押込み位置で前記被係止部へ弾性的に係止する係止部材とからなる請求項１乃至３の何れかに記載の切断機。
【発明の詳細な説明】
【技術分野】
【０００１】
本発明は、回転する鋸刃を備えた基盤に、基盤下側への折り畳み位置と、基盤から下方へ突出する引き出し位置とに回転可能な可動脚を軸着した丸鋸盤やフリップオーバーソー等の切断機に関する。
【背景技術】
【０００２】
例えば丸鋸機等においては、基盤となるテーブル上に、モータによって回転駆動する鋸刃を突出させ、テーブル上で被切断材をスライドさせて鋸刃による切断が可能となっている。このテーブルは、折り畳み可能な脚によって支持されており、丸鋸機の不使用時に脚を折り畳めばコンパクト化でき、運搬や収納に便利となる。
この脚の折り畳み構造としては、例えば特許文献１に記載のように、テーブルの下方に固着した固定脚に、可動脚を回転可能に連結し、各可動脚における固定脚への連結部分に、起立状態での可動脚の回転をロック可能なロック機構を設ける一方、可動脚と相対向する固定脚との間に、ステーを交差状に架設して、可動脚の組み立てと折り畳みとを可能とした発明が知られている。
【０００３】
【特許文献１】特開２０００−１７６９０２号公報
【発明の開示】
【発明が解決しようとする課題】
【０００４】
上記折り畳み構造においては、可動脚の組み立てにロック機構とステーとを併用するものであるため、部品点数が多くなる上、可動脚の組み立てや折り畳みの際にロック機構の操作とステーの着脱操作とが必要となり、余計な手間が増えて作業が面倒となる。
【０００５】
そこで、請求項１に記載の発明は、可動脚の組み立てと折り畳みとがより簡単な操作で確実に行える切断機を提供することを目的としたものである。
【課題を解決するための手段】
【０００６】
上記目的を達成するために、請求項１に記載の発明は、可動脚を、引き出し位置から基盤側へ軸方向に沿って僅かに移動する押込み位置へスライド可能に設ける一方、基盤と可動脚との間に、押込み位置で可動脚の回転を規制し、引き出し位置で前記可動脚の回転を許容する回転ロック機構と、押込み位置から引き出し位置への可動脚のスライドの規制とその解除とを任意に切替操作可能なスライドロック機構とを設けたことを特徴とするものである。
請求項２に記載の発明は、請求項１の目的に加えて、回転ロック機構を簡単な構造で形成するために、回転ロック機構を、可動脚又は基盤の何れか一方側で可動脚の回転中心から偏心した位置に設けられる凸部と、他方側に設けられて可動脚の押込み位置で凸部が嵌合し、可動脚の回転を規制する規制部とからなる構成としたものである。
請求項３に記載の発明は、請求項２の目的に加えて、押込み位置で可動脚をより効果的に安定支持するために、可動脚に、押込み位置で外開き姿勢となるように所定の傾斜角度を付与して、規制部をその傾斜角度に合わせて傾斜させたものである。
請求項４に記載の発明は、請求項１乃至３の何れかの目的に加えて、スライドロック機構をより簡単且つ取扱いに至便な構造とするために、スライドロック機構を、可動脚又は基盤の何れか一方側に設けられた被係止部と、他方側に設けられ、可動脚の押込み位置で被係止部へ弾性的に係止する係止部材とからなる構成としたものである。
なお、本発明でいう基盤とは、回転駆動する鋸刃が直接的又は間接的に備えられて可動脚によって支持されるテーブルやベースを指す。
【発明の効果】
【０００７】
請求項１に記載の発明によれば、可動脚の組み立てと折り畳みとが、可動脚の回転と軸方向へのスライドとの単純な動作で可能となり、運搬や収納時の取扱いに至便となる。また、スライドロック機構によって押込み位置での可動脚の回転は確実にロックされるため、信頼性も高まる。
請求項２に記載の発明によれば、請求項１の効果に加えて、回転ロック機構が簡単な構造で実現可能となる。
請求項３に記載の発明によれば、請求項２の効果に加えて、回転ロック用の凸部と規制部とを合理的に利用して、可動脚を外開き姿勢でがたつきなく安定支持することができる。
請求項４に記載の発明によれば、請求項１乃至３の何れかの効果に加えて、スライドロック機構が簡単な構造で実現可能となるのに加えて、係止部材の弾性係止によって可動脚の押込み位置で自動的にスライドが規制されることで、作業が簡略化されて取扱いにより至便となる。
【発明を実施するための最良の形態】
【０００８】
以下、本発明の実施の形態を図面に基づいて説明する。
図１は、切断機の一例であるフリップオーバーソーの全体図、図２はその平面図、図３は正面説明図で、フリップオーバーソー１は、平面矩形状の台で、４本の可動脚１９，２０・・によって支持される基盤としてのベース２と、ベース２の上部に設けられるテーブル３と、テーブル３に設けられる鋸刃ユニット４とからなる。テーブル３は、左右方向（図１，２での右側を前方とする）の回転軸５，５を中心に１８０°反転可能に支持され、ベース２に設けられたロックレバー６により、テーブル３の両面何れを上にしても水平状態で固定可能となっている。また、テーブル３には、円形のターンテーブル７が水平回転可能に設けられると共に、そのターンテーブル７上を横切る格好でガイドフェンス８が左右方向に架設されている。
【０００９】
鋸刃ユニット４は、ターンテーブル７の後方に立設された支持アーム９と、その支持アーム９の上端で支軸１０によって上下動可能に支持される本体１１とを備え、本体１１のハウジングとなるブレードカバー１２の左側方には、モータ１３とハンドル１４とが設けられて、ブレードカバー１２内に、モータ１３によって回転駆動する円盤状の鋸刃１５が設けられている。また、本体１１は、支軸１０に設けた図示しないトーションスプリングによって、図１の上死点へ付勢されており、ハンドル１４を保持して下方へ押し下げることで、本体１１を、鋸刃１５がターンテーブル７の中央に設けた図示しないスリットを貫通する下死点まで下降させて、回転する鋸刃１５によってターンテーブル７上の被切断材を切断可能となる。すなわち、マイタソーとして使用することができる。１６は、本体１１の上死点では鋸刃１５を覆う位置にあり、本体１１の下降に伴って回転して鋸刃１５を露出させる安全カバーである。
【００１０】
さらに、支持アーム９は、ターンテーブル７上で本体１１ごと右方向（図２の下方向）へ傾倒可能となっており、任意の傾倒位置でレバー１７によって固定することで、鋸刃１５に垂直方向の角度を付与可能となっている。この本体１１の傾倒により、ターンテーブル７上の被切断材に対して傾斜切断が行える。加えて、ターンテーブル７は、ハンドル１４を把持して旋回操作することで、本体１１と共に水平回転が可能となる。このターンテーブル７の水平回転角度の選択により、鋸刃１５がガイドフェンス８と直交する直角切断と、そこから水平方向で傾斜する角度切断とが可能となる。
一方、本体１１は、支持アーム９と本体１１との間に設けられた固定機構１８により、下死点で固定することができ、この固定状態でテーブル３を反転させれば、鋸刃１５のみをテーブル３の上方へ突出させて、テーブル３上で被切断材をスライドさせて切断を行うテーブルソーとして使用可能となる。
【００１１】
可動脚１９，２０は、横断面四角形の中空パイプで形成され、ベース２右側の可動脚１９，１９同士と、左側の可動脚２０，２０同士が夫々前後方向の連結バー２１，２１で一体に連結されると共に、ベース２の下端内部で解放側が左右同士で対向するように固定されたコ字状のブラケット２２内で、上端を前後に直交する連結軸２３によって左右方向へ回転可能に軸着されている。なお、このブラケット２２は、左右の可動脚１９，２０の折り畳みによる重なりを考慮して、可動脚１９側のブラケット２２を可動脚２０側よりも高い位置に設けて、左右の可動脚１９，２０の軸着位置を上下方向でずらしている。よって、可動脚１９，２０の寸法は、軸着位置が高くなる可動脚１９の方が可動脚２０よりも長くなっている。以下、可動脚１９，２０とブラケット２２との連結構造を詳述するが、構造自体は左右対称であるため、主に可動脚２０，２０について説明する。
【００１２】
図４（Ａ）に示すように、ブラケット２２における連結軸２３の挿通孔２４は、上下方向に長孔となって、軸着される可動脚２０を、ベース２の下方へ突出する引き出し位置と、そこからベース２側へ僅かに押し込まれる押込み位置との間で軸方向にスライド可能としている。ブラケット２２における挿通孔２４の下方には、下端が解放する規制部としての切欠２５が上下方向に形成される一方、可動脚２０における連結軸２３の下方部位には、連結軸２３と平行な凸部となるストッパピン２６が固着されて、可動脚２０の押込み位置でストッパピン２６が切欠２５内に嵌合して、可動脚２０の回転をロックするようになっている。すなわち、切欠２５とストッパピン２６とが可動脚２０の回転ロック機構となる。なお、挿通孔２４及び切欠２５は、ロック状態で左右の可動脚２０，２０がやや外開き姿勢となるように、下方へ行くに従って外側へ傾斜するように形成されている。２７は、ブラケット２２の下端に設けられて、外開き姿勢での可動脚２０の外面へ当接する規制片である。
【００１３】
また、前側の可動脚２０におけるストッパピン２６の下方部位には、係止部材としてのロックスプリング２８が装着されている。このロックスプリング２８は、可動脚２０の内側を前後方向に横切る掛止部２９と、その掛止部２９の前後端で下方に折曲され、可動脚２０の前後面に沿って下方へ伸びる端部３０，３０とからなる棒状の金属体で、両端部３０，３０は、可動脚２０へ直交状に固着された係止ピン３１の外側を通過して、その下方に形成された透孔３２，３２に夫々係止している。よって、ロックスプリング２８には、掛止部２９が係止ピン３１，３１との接触部を中心として可動脚２０側へ付勢される弾性が付与されることになる。掛止部２９の中央には、可動脚２０から離れる方向へ膨出する円弧部３３が折曲形成されている。
【００１４】
一方、ブラケット２２の内側縁の下方部には、可動脚２０の上方への押込み位置でロックスプリング２８の掛止部２９が係止可能な被係止部としての凹部３４，３４が夫々形成され、その凹部３４の下方に、下方へ行くに従って切欠２５へ近づく傾斜部３５が夫々形成されている。すなわち、ロックスプリング２８と凹部３４とで、可動脚２０の押込み位置で可動脚２０の引き出し位置へのスライドを規制するスライドロック機構が形成され、付勢に抗して掛止部２９を引き起こして凹部３４，３４から離反させれば、可動脚２０のスライド規制が解除されることになる。
【００１５】
以上の如く構成されたフリップオーバーソー１においては、可動脚１９，２０・・を起立させて使用する場合、まず、フリップオーバーソー１を横に倒した状態で、左右の可動脚１９，２０ごとに夫々ブラケット２２，２２の規制片２７，２７に当接する引き出し位置まで外側へ回転させ、その状態で可動脚１９，２０をベース２側へ押し込む。すると、各可動脚１９，２０が連結軸２３が挿通孔２４の上端へ移動する押込み位置へスライドすると共に、ストッパピン２６が切欠２５に嵌合する。このとき同時に、ロックスプリング２８の掛止部２９が傾斜部３５に乗り上がって凹部３４までガイドされ、その弾性によって凹部３４に係止する。よって、各可動脚１９，２０は切欠２５とストッパピン２６との嵌合によって回転規制されると共に、ロックスプリング２８によって下方へのスライドが規制され、図３のようにベース２を支持することができる。後はテーブル３の回転位置の選択により、マイタソー或いはテーブルソーとして使用可能となる。
【００１６】
切断作業終了後、フリップオーバーソー１を収納等する場合、フリップオーバーソー１を横に倒した後、図４（Ａ）の矢印で示すように、可動脚２０において、夫々ロックスプリング２８の円弧部３３を指で引き起こすようにして掛止部２９をブラケット２２の凹部３４から離れる方向へ回転させれば、可動脚２０のスライド規制が解除される。よって、そのまま可動脚２０を下方への引き出し位置へスライドさせると、同図（Ｂ）のように、ストッパピン２６が切欠２５から離反して連結軸２３が挿通孔２４の下端へ移動し、可動脚２０の回転が可能となるため、同図（Ｃ）のように可動脚２０を内側へ折り畳むことができる。可動脚１９も同様の手順で折り畳み可能となるが、実際の順番としては、軸着位置が上になる可動脚１９，１９側を先に折り畳み、続いて他方の可動脚２０，２０を折り畳めば、図５のように、左右の可動脚１９，２０が共にベース２内へ収容される。
【００１７】
なお、上側の可動脚１９における透孔３２には、四角枠状のリング３６が装着されており、折り畳んだ際に下側の可動脚２０をリング３６内に差し込めば、左右の可動脚１９，２０が折り畳み位置で水平に保持される。
そして、再びフリップオーバーソー１を使用する場合は、上記手順と逆に、下側の可動脚２０からリング３６を取り外して左右の可動脚１９，２０を夫々外側へ回転させて起立させ、上方へ押し込めば、先述のように切欠２５とストッパピン２６とによる回転規制と、ロックスプリング２８と凹部３４とによるスライド規制とがなされる。
【００１８】
このように、上記形態のフリップオーバーソー１によれば、可動脚１９，２０を、引き出し位置からベース２側へ軸方向に沿って僅かに移動する押込み位置へスライド可能に設ける一方、ベース２と可動脚１９，２０との間に、押込み位置で可動脚１９，２０の回転を規制し、引き出し位置で可動脚１９，２０の回転を許容する回転ロック機構と、押込み位置から引き出し位置への可動脚１９，２０のスライドの規制とその解除とを任意に切替操作可能なスライドロック機構とを設けたことで、可動脚１９，２０の組み立てと折り畳みとが、可動脚１９，２０の回転と軸方向へのスライドとの単純な動作で可能となり、運搬や収納時の取扱いに至便となる。また、スライドロック機構によって押込み位置での可動脚１９，２０の回転は確実にロックされるため、信頼性も高まる。
【００１９】
また、回転ロック機構を、可動脚１９，２０において回転中心である連結軸２３から偏心した位置に設けられるストッパピン２６と、ベース２側に設けられて可動脚１９，２０の押込み位置でストッパピン２６が嵌合し、可動脚１９，２０の回転を規制する切欠２５とから形成したことで、回転ロック機構が簡単な構造で実現可能となる。
特に、可動脚１９，２０に、押込み位置で外開き姿勢となるように所定の傾斜角度を付与して、切欠２５をその傾斜角度に合わせて傾斜させたことで、回転ロック用の切欠２５とストッパピン２６とを合理的に利用して、可動脚１９，２０を外開き姿勢でがたつきなく安定支持することができる。
さらに、スライドロック機構を、ベース２側のブラケット２２に設けられた凹部３４と、可動脚１９，２０側に設けられ、可動脚１９，２０の押込み位置で凹部３４へ弾性的に係止するロックスプリング２８とから形成したことで、スライドロック機構が簡単な構造で実現可能となるのに加え上、ロックスプリング２８の弾性によって可動脚１９，２０の押込み位置で自動的にスライドが規制されることで、作業が簡略化されて取扱いにより至便となる。
【００２０】
なお、上記形態では、連結軸を可動脚に、挿通孔をブラケットに夫々設けているが、互いに逆側に設けても良い。また、回転ロック機構の凸部としては可動脚を挿通するストッパピンに限らず、夫々可動脚の両面に別体で突設しても良いし、規制部も切欠に限らず、凸部が案内される溝でも差し支えない。さらに、凸部となるストッパピンを可動脚に、規制部となる切欠をベース側のブラケットに設けているが、これも互いに逆側に設けることができる。
同様に、スライドロック機構においても、ロックスプリングを可動脚に、凹部及び傾斜部をブラケットに設けているが、このような係止部材と被係止部とを互いに逆側に設けることもできる。勿論、係止部材としてはロックスプリングに限らず、ピンやカム等の部材を一方へ出没可能且つバネ等の弾性体によって突出状態へ付勢して設けて、突出状態で他方側の透孔等に係止して可動脚のスライドを規制する構造とする等、適宜設計変更が考えられる。
【００２１】
その他、可動脚は横断面四角形のパイプに限らず、横断面円形のパイプでも使用できるし、このようなパイプ以外に横断面Ｌ字状やコ字状のものも使用可能である。
そして、フリップオーバーソー自体の構造も上記形態に限らず、本体が左右両方へ傾動できる構造や、傾斜切断や角度切断ができない構造等であっても本発明は適用可能で、勿論フリップオーバーソーに限らず、可動脚によって支持されるテーブルに、モータ駆動する鋸刃を突出させた丸鋸盤等の他の切断機であっても、本発明は適用可能である。
【図面の簡単な説明】
【００２２】
【図１】フリップオーバーソーの側面図である。
【図２】フリップオーバーソーの平面図である。
【図３】フリップオーバーソーの正面図である。
【図４】（Ａ）は押込み位置での可動脚の連結部分を示す説明図、（Ｂ）（Ｃ）は可動脚の折り畳み手順を示す説明図である。
【図５】可動脚を折り畳んだ状態のフリップオーバーソーの正面図である。
【符号の説明】
【００２３】
１‥フリップオーバーソー、２‥ベース、３‥テーブル、４‥鋸刃ユニット、７‥ターンテーブル、１１‥本体、１９，２０‥可動脚、２２‥ブラケット、２３‥連結軸、２５‥切欠、２６‥ストッパピン、２７‥規制片、２８‥ロックスプリング、２９‥掛止部、３４‥凹部。
【図１】
2006044069.tif 000003
【図２】
2006044069.tif 000004
【図３】
2006044069.tif 000005
【図４】
2006044069.tif 000006
【図５】
2006044069.tif 000007